(57)【要約】      （修正有）【課題】盛付部とその周辺の鍔部に異なる文様を付した食品包装容器を歩留まり良く構成し利用できるようにする。【解決手段】中央に食品が盛られる盛付部、その周囲に外方へ張り出した鍔部をそれぞれ配し、盛付部と鍔部の境界に沿って表面に付された色又は模様を異ならせて形成される合成樹脂製の食品包装容器を、皿状の主容器２と、中央に凹面部３ａを有し、その周囲に鍔部３４を張り出してなる本体容器３により構成し、本体容器３の凹面部３ａに主容器２を載せて一体化させる。主容器２と本体容器３は、両容器で異なる文様をそれぞれの上面全体に一様に付して成形する。【選択図】図２
0003104129.tif 000002
【実用新案登録請求の範囲】
【請求項１】
中央に食品が盛られる盛付部、その周囲に外方へ張り出した鍔部をそれぞれ配し、盛付部と鍔部との境界に沿って表面に付された色又は模様を異ならせて形成された合成樹脂製の食品包装容器において、
皿状の主容器と、中央に凹面部を有し、その周囲に鍔部を張り出してなる本体容器により構成し、本体容器の凹面部に主容器を載せて一体化させてなることを特徴とする食品包装容器。
【請求項２】
主容器を上面全体に同一の色又は模様を付して成形し、本体容器を上面全体に、前記主容器の色又は模様とは異なる、同一の色又は模様を付して成形してなる請求項１に記載の食品包装容器。
【請求項３】
主容器の周縁に下方折り返し部を設け、本体容器の凹面部の周縁に前記折り返し部が係合する凸部を設けてなる請求項１又は２に記載の食品包装容器。
【考案の詳細な説明】
【技術分野】
【０００１】
本考案は、各種料理や惣菜などの食品を収納し、蓋を被せて包装したまま店頭などに陳列し販売に供することのできる合成樹脂製の食品包装容器に関する。
【背景技術】
【０００２】
一般に合成樹脂製の容器の成形は、容器表面に付す文様が印刷された印刷フィルムと原反とを貼り合せてシートにし、これを複数個の容器型が並んだ成形金型で加熱し変形させ、冷却固化した後、成形された各容器をシートから抜き刃で打ち抜く加工工程により行われる。
【０００３】
図６は前記工程により成形される従来の食品包装容器の一例を示している。この容器は、平面視円形の底面６１から周壁６２を浅く立ち上げるとともに周壁上端を水平に適宜な幅外折れさせて皿状に形成し、容器の中央部に食品が盛られる盛付部６３、その周囲に鍔部６４を配した形態のものであり、盛付部６３には全面に同一色の着色を付し、鍔部６４には花柄模様を付して、両部の境界で色及び模様が明瞭に異なるように設けたものである。
【考案の開示】
【考案が解決しようとする課題】
【０００４】
容器表面全体に同じ色や模様の文様が付された容器と異なり、前記図示した盛付部６３と鍔部６４の境界で文様が異なる容器では、文様の位置が少しでもずれていると、例えば盛付部６３の着色が鍔部６４に、或いは鍔部６４の模様が盛付部６３にそれぞれ僅かにはみだして付されていると、成形不良であることを直ちに認識させる。
そのため、このような容器の成形工程には、シートに貼り合わせた印刷フィルムの文様の位置と、成形金型の各容器型の位置とを正確に位置決めしてシートを成形金型に搬送しセットする位置決め装置の装備が不可欠であった。
しかし、例え位置決め装置を装備してシートを所定の位置に正確にセットしたとしても、成形時のシートの伸縮がシート全面で一様ではないことから、成形金型で一度に成形される複数の容器のうちの幾つかには文様の位置のずれが生じることは避けられなかった。そのため、表面全体に同じ文様を付して成形した容器と比較して、不良発生率が極め高く、歩留まりが悪いとう問題があった。
【０００５】
本考案は従来技術の有するこのような問題点に鑑み、盛付部とその周辺の鍔部に異なる文様を付した食品包装容器を、歩留まり良く構成し利用できるようにすることを課題とする。
【課題を解決するための手段】
【０００６】
食品包装容器に付される文様は、盛り付けた食品をおいしそうに見せるように機能し、食品によっては、盛付部と鍔部でくっきりと文様が異なる容器に盛り付ければ、食品が際立っておいしそうに見える場合もあり、そのような容器の需要も大きい。
しかし、前述の通り、成形金型にシートをセットして一度に複数の容器を成形する以上、必然的に何れかの容器型の文様の位置がずれて不良が発生し、歩留りの改善にも限界がある。
そこで本考案は、盛付部と鍔部を一体成形するのではなく、両部を別体で成形し、しかも文様のずれによる不良をなくすため、両部の表面全体に同じ文様を一様に付し、それぞれに付す文様を異ならせることにより、一体に組み合せた状態で、容器表面に盛付部と鍔部の異なる文様がはっきりと現出されるように構成した。
【０００７】
すなわち本考案の食品包装容器は、中央に食品が盛られる盛付部、その周囲に外方へ張り出した鍔部をそれぞれ配し、盛付部と鍔部との境界に沿って表面に付された色又は模様を異ならせて形成される合成樹脂製の容器を、皿状の主容器と、中央に凹面部を有し、その周囲に鍔部を張り出してなる本体容器により構成し、本体容器の凹面部に主容器を載せて一体化させてなることを特徴とする。
前記構成において、主容器を上面全体に同一の色又は模様を付して成形し、本体容器を上面全体に、主容器の色又は模様とは異なる、同一の色又は模様を付して成形すれば、盛付部と鍔部の境界に沿って色や模様の違いがはっきりと表れて好ましい。
また、主容器の周縁に下方折り返し部を設け、本体容器の凹面部の周縁に前記下方折り返し部が係合する凸部を設ければ、凹面部上で主容器を確実且つ安定的に保持しておくことができて好ましい。
【０００８】
本考案の食品包装容器は、本体容器の凹面部に主容器を載せて構成され、主容器上に食品を盛り付け、本体容器に蓋を被せて食品を包装し、食品売り場への移送や陳列、販売に供される。
主容器と本体容器、本体容器に被せる蓋はそれぞれ別々に成形され、主容器と本体容器は、それぞれ別の色や模様の文様を、容器表面全体に一様に付して成形される。両容器全体にそれぞれ文様が一様に付されるため、文様の位置ずれによる成形不良が生じることはない。従って、容器成形工程に位置決め装置を装備する必要はなく、この種の容器を低廉な設備コストで効率的に生産することが可能となる。
本体容器に主容器を載せた状態で、食品の盛付部とその周辺の鍔部との境界で文様の区切りがはっきりと表れるため、容器全体が特徴的な外観構成のものとなる。例えば、本体容器を表面に木目の文様、主容器を表面に食品を焼く鉄板の如き黒の着色文様をそれぞれ付して成形し、木目文様の本体容器上に鉄板文様の主容器を載せると、あたかもステーキ皿の如き外観構成となり、盛付部に盛り付けた調理した肉や調理前の厚い肉片はステーキ皿に盛られたような状態で包装され、包装した食品をおいしそうに際立たせて見せることができる。
また、互いに文様を異ならせて主容器と本体容器をそれぞれ複数種類成形しておけば、それらを組み合せて容器を構成することにより、数通りの文様の異なる容器が得られる。例えば、主容器と本体容器をそれぞれ文様を異ならせて二種類成形しておけば、これらを組み合せて四種類の文様の異なる容器を構成し、異なる種類の食品の包装にも対応が可能である。
【考案を実施するための最良の形態】
【０００９】
本考案の好適な一実施形態を図面を参照して説明する。
図１と図２はそれぞれ本考案の食品包装容器の一体化した状態と分離した状態の外観、図３は本体容器と主容器の半面を破断して示した側面を示しており、図示されるように、この食品包装容器１は、皿状に形成された主容器２と、周縁を水平に張り出して同じく皿状に形成された本体容器３により構成されている。
【００１０】
主容器２は、平面視楕円形の底部２１の周囲から周壁２２を浅く斜めに立ち上げるとともに、その上部に外方へ湾曲しながら折れた折り返し部２３を設けて成形されている。折り返し部２３は、周壁２２の上縁を外側へ湾曲させてなり、その上端２３ａから下端２３ｂの間には階段状断面を呈する段差部２３ｃを環状に列設してある。
また、主容器２の表面全体には、食品を焼く鉄板と同じ黒の着色文様を一様に付してある。
【００１１】
本体容器３は、主容器２と同様に、平面視楕円形の底部３１の周囲から周壁３２を浅く斜めに立ち上げ、その上部に周壁３１の上縁を外方へ湾曲させるとともに上端３３ａから下端３３ｂの間に階段状断面を呈する段差部３３ｃを環状に列設させてなる折り返し部３３を設け、さらに折り返し部３３の外側に水平に適宜な幅張り出した鍔部３４を連ねて成形されている。
詳しくは、本体容器３は、その底部３１と周壁３２により画される容器中央の凹面部３ａ内に主容器２の底部２１を載せて支持することができる寸法に形成されており、凹面部３ａ内に主容器２の底部２１を没入させた状態で、本体容器３の底部３１の上面に主容器２の底部２１が重ね合わさり、また、本体容器３の凸部である折り返し部３５の上面に主容器２の折り返し部２４の下面が重なり、且つ両部の段差部２３ｃ、３３ｃが互いに係合するように設けてある。
また、主容器２の表面全体には、あたかも木材により成形された如き質感を醸し出す、茶色の木目模様の文様を一様に付してある。
【００１２】
このように形成された本形態の食品包装容器１によれば、本体容器３の凹面部３ａに主容器２を載せて支持し、盛付部である主容器２内に食品を盛り付け、図示されない蓋を本体容器３に被せて食品が包装される。
本体容器３に主容器２を載せた状態で、あたかも木板の上に鉄板を載せたかのような外観となり、食品として肉を包装するときには肉がステーキ皿に盛られたような状態で包装され、包装した食品をおいしそうに、際立たせて見せることができる。
【００１３】
図４と図５はそれぞれ本考案の他の形態の食品包装容器の一体化した状態と分離した状態の外観を示しており、この食品包装容器１は、前記形態と同様に、皿状の主容器２と、中央に凹面部３ａを有する本体容器３から構成されている。
詳しくは、主容器２は平面視矩形の底部２１の周囲に周壁２２を浅く立ち上げるとともに、周壁２２の上部に、周壁２２の上端から水平に小幅張り出し且つその端部を下折れさせた折り返し部２３を設けて成形されている。底部２１には適宜な間隔で小さな凸部を複数設けてある。また、主容器２の表面全体には、同一色の着色文様を一様に付してある。
本体容器３は、矩形に開口した凹面部３ａの中央に幅広の底部３１、その両側に脚部３１ａ、３１ａをそれぞれ配し、底部３１及び脚部３１ａ、３１ａの周囲から立ち上げた周壁３２の上縁を水平に適宜な幅で張り出させて凹面部３ａの周囲に鍔部３５を設けて成形されている。鍔部３５の根元部である凹面部３ａの周縁には、主容器２の折り返し部２３が係合する凸部３３ｄが容器開口に沿って環状に設けてある。また、容器本体３の表面全体には、前記主容器２の文様の色が異なる、黒色の着色文様を一様に付してある。
【００１４】
このように形成された本形態の食品包装容器１によれば、本体容器３の凹面部３ａに主容器２を載せて支持し、盛付部である主容器２内に食品を盛り付け、図示されない蓋を本体容器３に被せて食品が包装される。
本体容器３に主容器２を載せた状態で、あたかも黒い石の台の上に陶製の皿が支持されたかのような外観となり、主容器２に盛り付けて包装した食品を豪華且つおいしそうに引き立てて見せることができる。
【００１５】
なお、図示した形態は一例であり、本考案の食品包装容器は他の適宜な形状に設けることができ、また、主容器と容器本体に付す色や模様は様々であり、包装する食品の種類によって適宜に組み合せて利用することができる。
【図面の簡単な説明】
【００１６】
【図１】本考案の一実施形態の食品包装容器の一体化状態の外観図である。
【図２】図１の容器の分離状態の外観図である。
【図３】図１の本体容器と主容器の、半面を破断して示した側面図である。
【図４】本考案の他の実施形態の食品包装容器の一体化状態の外観図である。
【図５】図５の容器の分離状態の外観図である。
【図６】従来の食品包装容器の一例の外観図である。
【符号の説明】
【００１７】
１  食品包装容器、２  主容器、３  本体容器、３ａ  凹面部、２１、３１  底部、２２、３２  周壁、２３、３３  折り返し部、３４  鍔部
【図１】
0003104129.tif 000003
【図２】
0003104129.tif 000004
【図３】
0003104129.tif 000005
【図４】
0003104129.tif 000006
【図５】
0003104129.tif 000007
【図６】
0003104129.tif 000008